(57)【要約】      （修正有）【課題】船上から、海苔畑の支柱の立て辛い海底の貝殻や砂の層に海苔支柱を立てるという課題を解決する、海苔支柱立て込み装置を提供する。【解決手段】海苔支柱立て込み装置の、弾力フックを海苔支柱の泥抜き穴に差し込み、互い違いクランプＡを支点にし、テコを応用して、互い違いクランプＢとの間に海苔支柱を押し込み挟む。海水ホースに水圧をかけ、噴射ノズルから噴射しながら海底の貝殻や砂の層を液状化して海苔支柱を押さえ込んでいく。泥抜き穴が貝殻や砂の層を通過したら送水をとめて、弾力フックのはずれる長さ海苔支柱を引き上げ、泥抜き穴から弾力フックを引き抜き、海苔支柱を押さえて、海水ホースに水圧かけ、再び液状化して、噴射の反動で、海苔支柱立て込み装置を液状化の中から浮上させながら引き上げロープで引き上げ、海苔支柱を上げ下げの反動をつけ押さえ立て込んで課題を解決する。【選択図】図１
0003144359.tif 000002
【実用新案登録請求の範囲】
【請求項１】
海苔支柱との外形中央根本に排水する形状にしたパイプと、噴射範囲可変ノズルと、弾力フックと、互い違いクランプＡと、互い違いクランプＢと、海水ホースと、引き上げロープを合わせ構成した、海苔支柱立て込み装置。
【考案の詳細な説明】
【技術分野】
【０００１】  本考案は、海苔支柱立て込み装置に関するものであり、海苔支柱の立て辛い海苔畑海底の貝殻や砂の層を水流により液状化して海苔支柱を立てやすくする、海苔支柱立て込み装置に関する。
【背景技術】
【０００２】  従来から、海苔支柱立て込み装置として、特許文献に開示されているものがある。
【特許文献１】  特開２００３−１７４８２９号公報
【０００３】  海苔の生産地有明海では、船上から送水しながら海底の貝殻や砂の層を液状化し穴を開け、海苔支柱を立て込む、金属製の送水パイプが利用されている（図６）。
【考案の開示】
【考案が解決しようとする課題】
【０００４】  特許文献１では重機により海苔支柱を立て込む方法がとられているが、海苔漁船に重機を積むと積載量が増え、有明海の海苔漁船では海苔支柱を積むスペースが減少してしまい、船を大きくすると扱いづらく、コスト面でもデメリットが発生する。【０００５】  従来から、利用されている金属性の送水パイプは、船上から海水ポンプにより送水して、海底の貝殻や砂の層に海水を噴射しながら液状化して穴を開け、パイプを引き抜き、開けた穴に海苔支柱の根元を差し込み立てられているが、船上からパイプを引き抜いた穴は、泥や貝殻や砂の濁りで透明度が悪く見えないために、海苔支柱の根元が差し込みづらく、何度も送水パイプを上げ下げして穴を大きくして、海苔支柱を押さえ立て込まれている。【０００６】  穴を大きくすると貝殻や砂の層の液状化の面積が広くなり、潮流の速い波の荒い時、海苔支柱は傾いたり抜けたりしてしまう、傾き、抜けを、防止するために、海苔支柱を上げ下げして反動をつけ押さえ深く立てると、海苔支柱の長さが限られているので、海苔芽を発育するために、満潮時の水面の光と干潮時の間出時間を取るための、海苔支柱に海苔網を吊るすロープの場所が限られ、満潮時の風が強く波の荒い時、海苔支柱は海苔網の目を差し海面から露出して、海苔網は乾燥して時間がたつと海苔の種芽は死んでしまう。【０００７】  長い海苔支柱を使用すると直径も大きくなり、重量も増え扱いづらく、海苔期間が終り海苔支柱を撤去する時、海底に深く抜かっているために抜き辛い、コスト面でもデメリットが発生する、この考案は、これらの不都合を解決することを課題とする。
【課題を解決するための手段】
【０００８】  この課題を解決するための請求項１の考案は、海苔支柱との外形中央根本に排水する形状にしたパイプと、噴射範囲可変ノズルと、弾力フックと、互い違いクランプＡと、互い違いクランプＢと、海水ホースと、引き上げロープとを合わせ、海苔支柱立て込み装置（図１）を構成する。【０００９】  海苔支柱立て込み装置の弾力フックを、海苔支柱の泥抜き穴に差込み、互い違いクランプＡを支点にテコの原理を応用して、互い違いクランプＢとの間に海苔支柱を押し込み挟んで、三点で一体化する。【００１０】  船上より海苔支柱を持ち噴射範囲可変ノズルの噴射範囲を決めて噴射口を海底の所定の位置に当て、海水ホースに送水して水圧をかけ、海水を噴射範囲可変ノズルから噴射しながら海底の貝殻や砂の層を水流により液状化し、海苔支柱を押さえ込んでいく。【００１１】  海苔支柱の泥抜き穴に差し込まれている弾力フックにより、海苔支柱立て込み装置は海苔支柱と共に海底に押え込まれる。【００１２】  海苔支柱の泥抜き穴が、貝殻や砂の層を通過した位置で海水ホースの送水をとめ、海苔支柱立て込み装置を、半液状化の貝殻や砂の層の中にとめ、弾力フックが海苔支柱の泥抜き穴に差し込まれている長さ海苔支柱を引き上げ、泥抜き穴から弾力フックを引き抜き、三点で一体化されている、弾力フックの一点を外す。【００１３】  海苔支柱を押えて、海水ホースに送水し貝殻や砂の層を再び液状化しながら、噴射の反動で海苔支柱の泥抜き穴から弾力フックの外れた海苔支柱立て込み装置を浮上させながら引き上げロープで引き上げ、互い違いクランプＡと互い違いクランプＢの間の、海苔支柱と分離し、船上に引き上げて、海苔支柱を上げ下げの反動をつけて押さえ所定の深さまで立て込む。
【考案の効果】
【００１４】  本考案により、海苔支柱を海底の貝殻や砂の層に立てる場合、従来のように海苔漁船に重機を積載する必要はなく、また、金属製送水パイプのように、泥や貝殻や砂の濁りで見えない穴を海苔支柱の根元で探す必要はなく、穴を大きく開けたりする必要もなくなり、立て込まれた海苔支柱は、速い潮流で傾いたり波で煽られて抜けたりする不都合は起きず、目標の位置に海苔支柱を立てる事ができ、作業能率が向上するのである。【００１５】  海苔網の張り込まれた海苔支柱は、潮位の高い波の荒い時、海苔支柱が抜け、海苔畑の荒れることも減少して、海苔網の芽を順調に発育させる事ができ、海苔の増産が行えるのである
【考案を実施するための最良の形態】
【００１６】  以下、本考案の実施形態について説明する。図１は、海苔支柱立て込み装置の立面図を示す。図２は、海苔支柱立て込み装置に海苔支柱を合わせ一体化した立面図を示す。図３は、噴射範囲可変ノズルの平面図を示す。図４は、噴射範囲可変ノズルの立面図を示す、図５は、海苔支柱の立面図を示す。図６は、従来の海苔支柱立て用具の金属製の送水パイプの立面図を示す。【００１７】  図１に示す、海苔支柱立て込み装置の、海苔支柱との外形中央部に排水する形状にした、１パイプの、２弾力フックを、海苔支柱の、１０泥抜き穴に差し込み、６互い違いクランプＡに、海苔支柱を当て支点にして、テコの原理を応用し、７互い違いクランプＢの間に、海苔支柱を押し込み挟んで、三点で、図２示すように一体化する。【００１８】  船上より、海苔支柱を持ち、噴射範囲を海苔支柱と海苔支柱立て込み装置の外形の範囲に決めた、３噴射範囲可変ノズルを海底の所定の位置に当て、８海水ホースに送水しながら水圧をかけ、３噴射範囲可変ノズルから噴射しながら、貝殻や砂の層を水流により液状化し、海苔支柱を押さえ込んでいく。【００１９】  海苔支柱の、１０泥抜き穴に差し込まれている、２弾力フックにより海苔支柱立て込み装置は、海苔支柱と共に海底に押さえ込まれる。【００２０】  海苔支柱の、１０泥抜き穴が貝殻や砂の層を通過した位置で、８海水ホースの送水を止め、海苔支柱立て込み装置を、半液状化の貝殻や砂の層の中にとめ、２弾力フックが、海苔支柱の、１０泥抜き穴に差し込まれている長さ、海苔支柱を引き上げ、２弾力フックを、１０泥抜き穴から引き抜き、三点で一体化されている、２弾力フックの一点を外す。【００２１】  海苔支柱を押えて再び、８海水ホースに送水しながら液状化し、噴射の反動で海苔支柱立て込み装置を浮上させながら、９引き上げロープで引き上げ、６互い違いクランプＡ、７互い違いクランプＢの間の海苔支柱と分離し、船上に引き上げて、海苔支柱を上げ下げの反動を付けて所定の深さまで押さえ立て込む。【００２２】  このように工夫した、本考案の、海苔支柱立て込み装置で海苔支柱を立て込むと従来のように、泥や砂や貝殻の濁りで見えない穴を大きくしたり探したりする事なく、速い潮流より傾いたり、波で煽られ抜けたりする事を意識する事なく、海苔支柱の立て込み作業の効率を向上させる事ができる。【００２３】  また、海苔支柱の傾きや抜け防止は、海苔畑の荒れを防ぎ海苔の増産が行える。
【産業上の利用可能性】
【００２４】  本発明に係る、海苔支柱立て込み装置は工業的量産することが可能であるために、産業上の利用可能性を有する。
【図面の簡単な説明】
【００２５】
【図１】海苔支柱立て込み装置の立面図である。
【図２】海苔支柱立込み装置に海苔支柱を合わせ一体化した立面図である。
【図３】噴射範囲可変ノズルの平面図である。
【図４】噴射範囲可変ノズルの平面図である。
【図５】海苔支柱の立面図である。
【図６】従来の海苔支柱立て用具の立面図である。
【符号の説明】
【００２６】  １  海苔支柱との外形中央に排水する形状にしたパイプを示す
２  弾力フックを示す
３  噴射範囲可変ノズルを示す
４  噴射範囲調整ボルトを示す
５  噴射範囲調整ボルト回り防止バネを示す
６  互い違いクランプＡを示す
７  互い違いクランプＢを示す
８  海水ホースを示す
９  引き上げロープを示す
１０  泥抜き穴を示す
１１  水抜き穴を示す
１２  空気抜き穴を示す
【図１】
0003144359.tif 000003
【図２】
0003144359.tif 000004
【図３】
0003144359.tif 000005
【図４】
0003144359.tif 000006
【図５】
0003144359.tif 000007
【図６】
0003144359.tif 000008